(57)【要約】      （修正有）【課題】外部の風力源により直接作動されるため、さまざまな場所及び地点に広くかつ便利に応用することができる風力発電マイナスイオン発生器を提供する。【解決手段】風力発電マイナスイオン発生器は、マイナスイオン発生器を備える本体１０を備え、風力発電装置２０はマイナスイオン発生器本体１０と一体に組立て、これにより風力発電装置２０の電源線は、マイナスイオン発生器の電源コードに連接され、設備が必要とする電力を提供し、風力発電装置２０には風力ファン２８を設置し、これにより外界と通じ、少なくとも１個の受風側２２を形成する。【選択図】図１
0003174998.tif 000002
【実用新案登録請求の範囲】
【請求項１】
マイナスイオン発生器を備える本体と、少なくとも１個の風力発電装置とを備える風力発電マイナスイオン発生器であって、
前記マイナスイオン発生器には、電源コード、及び高圧線端部に設置する露出マイナスイオン放出端を設置し、
前記風力発電装置は、前記マイナスイオン発生器本体と一体に組立られて、これにより前記風力発電装置の電源線は、前記マイナスイオン発生器の電源コードに連接され、
前記風力発電装置には、風力ファンを設置し、これにより外界と通じ、少なくとも受風側を形成することを特徴とする風力発電マイナスイオン発生器。
【請求項２】
前記風力発電装置風力ファンの受風側の反対端には、相対する送風側を形成することを特徴とする請求項１に記載の風力発電マイナスイオン発生器。
【請求項３】
前記マイナスイオン発生器本体には、さらに定位装置を設置することを特徴とする請求項１又は２に記載の風力発電マイナスイオン発生器。
【請求項４】
前記定位装置には、クランプ、マジックテープ（登録商標）、結束ベルト及び両面テープから選択される一種を備えることを特徴とする請求項３に記載の風力発電マイナスイオン発生器。
【請求項５】
前記マイナスイオン放出端は、ソフトカーボンブラシであることを特徴とする請求項１〜４の何れか一項に記載の風力発電マイナスイオン発生器。
【請求項６】
前記マイナスイオン放出端は、金属針であることを特徴とする請求項１〜４の何れか一項に記載の風力発電マイナスイオン発生器。
【請求項７】
前記マイナスイオン発生器本体内部には、さらに電圧調整装置を設置することを特徴とする請求項１〜６の何れか一項に記載の風力発電マイナスイオン発生器。
【請求項８】
前記風力発電装置にはさらに風速スロットルを設置することを特徴とする請求項１〜７の何れか一項に記載の風力発電マイナスイオン発生器。
【請求項９】
前記風力発電装置の風力ファンは、予め設置される導風環状室内部に設置することを特徴とする請求項１〜８の何れか一項に記載の風力発電マイナスイオン発生器。
【請求項１０】
前記マイナスイオン発生器のマイナスイオン放出端は、送風側に向かい設置されることを特徴とする請求項１〜９の何れか一項に記載の風力発電マイナスイオン発生器。
【考案の詳細な説明】
【技術分野】
【０００１】
本考案は、風力発電マイナスイオン発生器に関するものであり、さらに詳しくは、固定電源コンセントの制限を受けることがないマイナスイオン発生器であって、外部の風力源により直接作動可能な移動方式であり、さまざまな場所及び地点において、広くかつ便利に応用することができる風力発電マイナスイオン発生器に関するものである。
【背景技術】
【０００２】
水分は、気体内でその表面積を変える。例えば、水滴が分裂してさらに小さい水滴になる時、周囲の空気は、マイナス電荷を得て、人に快適感を感じさせることができる大量のマイナスイオン（Ｎｅｇａｔｉｖｅ Ｉｏｎｓ）を発生する。
マイナスイオンは、空気中の粉塵顆粒と結合し、靜電作用により沈殿させ、空気浄化機能を形成し、人の健康に大きな効果をもたらすことが知られている。
【０００３】
一般のマイナスイオン発生器の作動原理は、３-７ＫＶマイナス高圧直流を、金属針或いはカーボンファイバー（ｃａｒｂｏｎ ｆｉｂｅｒｓ、マイナスイオン放出端）上に加え、放出端付近の空気を電離してマイナスイオンとするものである。
これにより、空気中の粉塵と煙霧は、静電気を帯びるため、地面に吸引され、沈殿して淨化される。
【０００４】
カーボンファイバーマイナスイオン放出端を使用する既存のマイナスイオン発生器構造を例とすると、該マイナスイオン発生器は通常、外部電源と連接する電源コードを予め設置する必要がある。
【０００５】
一般に露出形態を呈する放出端は、高圧線を設置する端部を備える。
高圧線には、絶縁スリーブ（ｉｎｓｕｌａｔｉｎｇ ｓｌｅｅｖｅ）により覆う端部（ｔｅｒｍｉｎａｌ）を設置し、該端部は、局部が露出するソフトカーボンブラシ放出器（ｓｏｆｔ ｃａｒｂｏｎ ｂｒｕｓｈ ｅｍｉｔｔｅｒ）に連接する。
この電源コードと外部電源とを接続して通電すると、高圧線端部及びそれが連接するソフトカーボンブラシにより、マイナスイオンは放出され、周辺の空気を浄化することができる。 
【０００６】
上記したような従来のマイナスイオン発生器は、各種車両、室内、食品鮮度保持装置等の場所に広く使用されているが、その共通の最大の欠点は、使用時に、対応する電圧と適合する電源コンセント（家庭用コンセント、自動車用シガーソケット或いは室内コンセントなど）を探さなければならないという点である。
そのため、隨意に移動させることができず、用途が非常に大きく制限されてしまう。
本考案は、従来のマイナスイオン発生器の上記した欠点に鑑みてなされたものである。
【０００７】
マイナスイオン発生器については各種の提案があるが、例えば、特開２００８−４７３２４号公報（以下、「特許文献１」という。）には、放電電極にマイナス電位を印加してコロナ放電させ、マイナスイオンのイオン風を発生させ、発生したマイナスイオン風の風力で送風するような提案が記載されている。しかし、動力源として風力を利用し、固定電源なしに、移動が可能なマイナスイオンを発生させるようなことは開示されていない。
【先行技術文献】
【特許文献】
【０００８】
【特許文献１】特開２００８−４７３２４号公報
【考案の概要】
【考案が解決しようとする課題】
【０００９】
従って、本考案が解決しようとする課題は、固定電源コンセントの制限を受けなくとも作動可能であり、その応用範囲を広めることが可能なマイナスイオン発生器を提供することにある。
【課題を解決するための手段】
【００１０】
そこで、本考案者は、前記の本考案の課題を解決するため、鋭意検討を重ねた結果、風力による発電によりマイナスイオン発生器の動力を提供できることに着目し、かかる着想に基いて本考案に想到するに至った。
【００１１】
すなわち、上記課題を解決するため、本考案は下記の風力発電マイナスイオン発生器を提供する。
風力発電マイナスイオン発生器は、マイナスイオン発生器を備える本体、少なくとも１個の風力発電装置を備え、
該風力発電装置は、該マイナスイオン発生器本体と一体に組立て、これにより該風力発電装置の電源線は、マイナスイオン発生器の電源コードに連接され、設備が必要とする電力を提供し、
該風力発電装置には、風力ファンを設置し、これにより外界と通じ、少なくとも１個の受風側を形成する。
【００１２】
（１）かくして、本考案によれば、
マイナスイオン発生器を備える本体と、少なくとも１個の風力発電装置とを備える風力発電マイナスイオン発生器であって、
前記マイナスイオン発生器には、電源コード、及び高圧線端部に設置する露出マイナスイオンエミット端を設置し、
前記風力発電装置は、前記マイナスイオン発生器本体と一体に組立られて、これにより前記風力発電装置の電源線は、前記マイナスイオン発生器の電源コードに連接され、
前記風力発電装置には、風力ファンを設置し、これにより外界と通じ、少なくとも受風側を形成することを特徴とする風力発電マイナスイオン発生器が提供される。
本考案によれば、前記の通り、風力発電装置を備えたマイナスイオン発生器を提供するものであるが、さらに、次の（２）〜（１０）に示す好ましい実施形態を包含する。
【００１３】
（２）前記風力発電装置風力ファンの受風側の反対端には、相対する送風側を形成することからなる前記（１）に記載の風力発電マイナスイオン発生器が提供される。
【００１４】
（３）前記マイナスイオン発生器本体にはさらに、定位装置を設置することからなる前記（１）又は（２）に記載の風力発電マイナスイオン発生器が提供される。
【００１５】
（４）前記定位装置には、クランプ、マジックテープ（登録商標）、結束ベルト及び両面テープから選択される一種を備えることからなる前記（３）に記載の風力発電マイナスイオン発生器が提供される。
【００１６】
（５）前記マイナスイオン放出端は、ソフトカーボンブラシである前記（１）〜（４）の何れか一項に記載の風力発電マイナスイオン発生器が提供される。
【００１７】
（６）前記マイナスイオン放出端は、金属針である前記（１）〜（４）の何れか一項に記載の風力発電マイナスイオン発生器が提供される。
【００１８】
（７）前記マイナスイオン発生器本体内部にはさらに、電圧調整装置を設置することからなる前記（１）〜（６）の何れか一項に記載の風力発電マイナスイオン発生器が提供される。
【００１９】
（８）前記風力発電装置にはさらに風速スロットルを設置することからなる前記（１）〜（７）の何れか一項に記載の風力発電マイナスイオン発生器が提供される。
【００２０】
（９）前記風力発電装置の風力ファンは、予め設置される導風環状室内部に設置することからなる前記（１）〜（８）の何れか一項に記載の風力発電マイナスイオン発生器が提供される。
【００２１】
（１０）前記マイナスイオン発生器のマイナスイオン放出端は、送風側に向かい設置されることからなる前記（１）〜（９）の何れか一項に記載の風力発電マイナスイオン発生器が提供される。
【考案の効果】
【００２２】
本考案に係る風力発電マイナスイオン発生器は、固定電源コンセントの制限を受けないマイナスイオン発生器であって、外部の風力源により直接作動するためマイナスイオンを強力に放出することができ、また、移動可能な方式であるため、さまざまな場所及び地点に移動しても、広くかつ便利に応用することができる。
【図面の簡単な説明】
【００２３】
【図１】本考案の一実施形態によるマイナスイオン発生器の斜視図である。
【図２】図１のマイナスイオン発生器の背面斜視図である。
【図３】図２のマイナスイオン発生器の左側面図である。
【図４】本考案の一実施形態によるマイナスイオン発生器の風速スロットルの斜視図である。
【図５】図４のマイナスイオン発生器の風速スロットルの別の角度からの斜視図である。
【考案を実施するための最良の形態】
【００２４】
以下に図面を参照しながら本考案を実施するための最良の形態について詳細に説明する。もっとも、かかる説明により、本考案が限定されるものではない。
【実施例】
【００２５】
本考案の実施例による図１〜３に示すように、本考案に係る風力発電マイナスイオン発生器は、マイナスイオン発生器本体１０と、風力発電装置２０を備えたものである。
【００２６】
マイナスイオン発生器本体１０に、マイナスイオン発生器を設置し、これによりマイナスイオン発生器の放出端フレキシブル高圧線１１及びその線端のソフトカーボンブラシマイナスイオン放出端１３は露出する。
【００２７】
ここでいうソフトカーボンブラシマイナスイオン放出端１３とは、説明の便宜上用いるのみで、これに限定するものではなく、金属針などの、その他異なる形式のマイナスイオン放出端とすることもできる。
【００２８】
風力発電装置２０は、マイナスイオン発生器本体１０と一体に組立て、これによりその電源線は、マイナスイオン発生器に通常予め設置される露出電源コードに連接され、こうしてマイナスイオン発生器に必要な電源を提供する。
【００２９】
風力発電装置２０の風力ファン２８は、外界と通じるように設置され、その他動力装置、或いはファン装置出風口、或いは相対移動し発生する風力を含む外部風力源により、風を送り回転させ、設備が必要な電力を産する。
【００３０】
図示の実施例において、風力発電装置２０の風力ファン２８の設置位置は、少なくとも１個の端は、矢印に示すように、受風側２２（風力源、或いはその他動力装置、ファン装置出風口に向かう）を形成し、反対端は、もう一つの矢印が示すように、送風側２４を形成する。
【００３１】
同時に、本実施例では、風力発電装置２０の風力ファン２８は、予め設置される導風環状室２６内部に設置される。
これにより、風力を、受風側２２から導入し、送風側２４から導出する。
【００３２】
図示の実施例のマイナスイオン発生器マイナスイオン放出端１３は、好ましくは、矢印に示す送風側２４に向かい、これにより装置全体のマイナスイオン拡散機能を増強する。
【００３３】
本考案実施例はさらに、マイナスイオン発生器本体１０に、定位装置３０を設置することができ、これにより任意の必要な物品或いは場所に定位することができる。
図示の実施例では、定位装置３０は、マイナスイオン発生器本体１０に予め設置する接続台に設置するクランプで、これにより装置全体を室内或いは車両用の扇風機或いはクーラー出風口に挟んで設置することができる。
【００３４】
以上は定位装置の説明のための例示に過ぎず、本考案の定位装置は、その他のマジックテープ（登録商標）、結束ベルト或いは両面テープなどとすることができ、これらにより本考案は各種異なる設置場所に定位することができる。
【００３５】
実施例中では、本考案は、さらに電圧調整（昇圧或いは電圧安定）装置を設置する。
これにより、風力ファンの回転速度が比較的ゆっくりな状況、或いは回路による定時でのマイナスイオン発生器への給電において使用することができる。
【００３６】
同時に、本考案の別種の実施例では、風速スロットル構造を設置することができる。
これにより、風圧が異なる状況で風力ファンが異なる回転速度（高速或いは低速）であっても、その発電量は近接する。
【００３７】
図４、５に示す風速スロットル構造を備える風力発電装置２００は、その風力ファン２８０受風側２２０の相対側には、間隔を開けて環状に配列する多数の弾性爪片２５０を設置する。
【００３８】
各弾性爪片２５０にはすべて、外へと突出する径方向部２５１を設置し、２個ずつの弾性爪片２５０の間には、設定間隔距離２５２を形成する。
これにより、風力ファン２８０がさまざまな強さの風力により運転しても、受風側２２０の相対側には、大きさの異なる抵抗構造を形成することで、風速を整える作用を達成することができる。
【００３９】
上記したように、本考案は、装置全体を携帯及び移動方式としたものであり、家庭用或いはオフィスのクーラー出風口などのさまざまな場所及び地点に設置できる。
これにより、マイナスイオン放出端を、必要な風力流動方向に調整でき、こうして風力発電装置２０の風力ファン２８は風力を受け回転を駆動され、それが発電した電力をマイナスイオン発生器に提供し、こうして放出端１３はマイナスイオンを発射することができる。      
本考案は自動車空調の出風口、或いはヘルメット外部など、車両に設置することもできる。
ヘルメット外部に設置する際には、マイナスイオン放出端を、ヘルメット内部に設置する。
車両が加速して移動することで形成される風力源により、空気を浄化するマイナスイオンを発生する。
【００４０】
上記の本考案の名称と内容は、本考案の技術内容の説明に用いたのみで、本考案を限定するものではない。本考案の技術思想に基づく等価応用或いは部品（構造）の転換、置換、数量の増減はすべて、本考案の保護範囲に含むものである。
【産業上の利用可能性】
【００４１】
本考案は実用新案登録の要件である新規性を備え、従来の同類製品に比べ十分な進歩性を有し、実用性が高く、社会のニーズに合致しており、産業上の利用価値は非常に大きい。
【符号の説明】
【００４２】
１０  マイナスイオン発生器本体
１１  高圧線
１３  マイナスイオン放出端
２０  風力発電装置
２２  受風側
２４  送風側
２６  導風環状室
２８  風力ファン
３０  定位装置
【図１】
0003174998.tif 000003
【図２】
0003174998.tif 000004
【図３】
0003174998.tif 000005
【図４】
0003174998.tif 000006
【図５】
0003174998.tif 000007